(57)【要約】【課題】室温を検出する温度センサを電装品箱にセンサ保持具により一体に取付け、外気と一定の空間を保ち、より精度よく室温を検出することができる空気調和機を提供する。【解決手段】前面開口を有する筐体と、この筐体内部に、前面開口に面して配設された室内熱交換器および電装部品を収納した電装品箱５と、筐体の前面開口を覆う吸込グリルと、電装品箱５より導出されるリード線６ａに接続され、室内温度を検出する温度センサ６を備えた空気調和機において、電装品箱５の前面上部に、リード線６ａを水平方向に通す凹条部７と、凹条部７の一側に連接し、温度センサ６の基部を水平方向に挟持する馬蹄状の挟持部８からなるセンサ保持具９を設けた。【選択図】  図２
2004293801.tif 000002
【特許請求の範囲】
【請求項１】
前面開口を有する筐体と、この筐体内部に、前記前面開口に面して配設された室内熱交換器および電装部品を収納した電装品箱と、前記筐体の前面開口を覆う吸込グリルと、前記電装品箱より導出されるリード線に接続され、室内温度を検出する温度センサを備えた空気調和機において、
前記電装品箱の前面上部に、前記リード線を水平方向に通す凹条部と、同凹条部の一側に連接し、前記温度センサの基部を水平方向に挟持する馬蹄状の挟持部からなるセンサ保持具を設けてなることを特徴とする空気調和機。
【請求項２】
前記保持具の後方近傍に前記リード線を押える凹状のリード押えを設けてなることを特徴とする請求項１記載の空気調和機。
【請求項３】
前記保持具および前記リード押えを前記電装品箱に一体成形してなることを特徴とする請求項１または２記載の空気調和機。
【発明の詳細な説明】
【０００１】
【発明の属する技術分野】
本発明は、空気調和機の室内機に係わり、詳しくは、室温を検出する温度センサを電装品箱に取付け、外気と一定の空間を保ち、精度よく室温を検出することができる温度センサの取付構造に関する。
【０００２】
【従来の技術】
従来のこの種の空気調和機には、図３および図４に示すようなものが知られている（例えば、特許文献１参照。）。
室内熱交換器６は、筐体１の内部に収納された状態において、上記前面開口１ａに面するように配設されている。また、７は、制御用の電機部品等を収納する電気部品箱であり、この電気部品箱７の底部に、室内温度を検出するための室温センサＳが取り付けられている。この室温センサＳは、筐体１の（右側面の）壁面内側の近傍に対応する位置に設けられている。
また、筐体１の右側壁面に、上記室温センサＳに対応する外気連通口（図示せず）が形成されている。室温センサＳは、筐体１の外気連通口の内側近傍に位置するように設けられている。なお、外気連通口は複数のスリット状開口によって構成されている。
【０００３】
上記電気部品箱７は、金属製の電気部品箱本体７０と、この本体７０の右側面７０ａ  内側に取り付けられたプラスティック製のＰＣ板ベース７２と、本体７０の前面側に取り付けられたサブベース７４とを有している。ここで、ＰＣ板ベース７２は、ＣＰＵその他の電機部品が取り付けられた制御基板を支持するためのものである。
【０００４】
そして、上記電気部品箱７のサブベース７４とＰＣ板ベース７２とに、室温センサＳを取り付けるためのセンサ取付部材８と、室温センサＳを取り囲むセンサ保護部材９とが、それぞれ一体的に形成されている。
室温センサＳは、大小２つの回転楕円体を長軸方向に繋げたような瓢箪型の形状を有している。そして、室温センサＳの大きい方の回転楕円体部分はセンサ本体Ｓ１  を構成し、小さい方の回転楕円体部分は、センサ用導線Ｒが連結される基部Ｓ２  を構成している。
【０００５】
サブベース７４と一体に形成されたセンサ取付部材８は、取付部材本体８０と、この本体８０に形成された保持部８６および導線固定部８７を有している。このうち保持部８６は、取付部材本体８０の保護部材９側に開口する円筒状の穴の形態を有し、その内部に室温センサＳの基部Ｓ２  がはめ込まれるようになっている。
また、導線固定部８７は、保持部８６の奥から取付部材本体８０の前側までを貫通したスリットの形態を有し、このスリット内にセンサ用導線Ｒを挟持するように構成されている。そして、この導線固定部を構成するスリット８７は、センサ用導線Ｒを側方から受け入れるための開口部８８を有している。この開口部８８は、センサ用導線Ｒを受け入れ易くするよう、側方に向かってテーパ状に広がっている。
【０００６】
しかしながら、上記従来例の構造の場合、室温センサＳが筐体１の右側壁面内側の電気部品箱７の底部に設けられ、且つ室温センサＳに対応する外気連通口が筐体１の右側面の壁面に設けられているため、空気調和機を室内の右側壁面の近傍に設置した場合、室温センサＳに対する通気性が悪く正確な室温を検出することが難しい。また、部品点数が多く、構造が複雑なため、金型、組立工数などコスト的に不利となっている。
【０００７】
【特許文献１】
特開平１１−２３０６０１号公報（第４〜５頁、第３〜５図）
【０００８】
【発明が解決しようとする課題】
本発明は以上述べた問題点を解決し、室温を検出する温度センサを電装品箱にセンサ保持具により一体に取付け、外気と一定の空間を保ち、より精度よく室温を検出することができる空気調和機を提供することを目的としている。
【０００９】
【課題を解決するための手段】
本発明は上述の課題を解決するため、前面開口を有する筐体と、この筐体内部に、前記前面開口に面して配設された室内熱交換器および電装部品を収納した電装品箱と、前記筐体の前面開口を覆う吸込グリルと、前記電装品箱より導出されるリード線に接続され、室内温度を検出する温度センサを備えた空気調和機において、
前記電装品箱の前面上部に、前記リード線を水平方向に通す凹条部と、同凹条部の一側に連接し、前記温度センサの基部を水平方向に挟持する馬蹄状の挟持部からなるセンサ保持具を設けてなる構成となっている。
【００１０】
また、前記保持具の後方近傍に前記リード線を押える凹状のリード押えを設けてなる構成となっている。
【００１１】
また、前記保持具および前記リード押えを前記電装品箱に一体成形してなる構成となっている。
【００１２】
【発明の実施の形態】
以下、図面に基づいて本発明の実施の形態について説明する。
図１は本発明による空気調和機の概略外観図、図２（Ａ）は本発明による要部拡大斜視図、図２（Ｂ）は温度センサの取付けを説明するための図２（Ａ）のａ部の拡大斜視図である。
【００１３】
図１と図２（Ａ），（Ｂ）において、空気調和機の室内機は、前面開口１ａを有する筐体１と、同筐体１の前記前面開口１ａを覆う吸込グリル２と、同吸込グリル２の吸込口２ａと、前記筐体１の前面下部の吹出口３を結ぶ通風路内に、前記前面開口１ａに面して配設された室内熱交換器４および制御回路用の電装部品等を収納したプラスチック製の電装品箱５と、同電装品箱５より導出されるリード線６ａに接続され、室内温度を検出する温度センサ６とから主に構成されている。
【００１４】
前記電装品箱５は、上面を後方上部から前方下部に向けて傾斜する上壁部５ａと、左右両側に壁面を有し、前面に開口部５ｂを備えた箱状の収納部５ｃから構成されている。そして、前記電装品箱５の前記開口部５ｂの前面上部に、前記リード線６ａを水平方向に通し挟持する凹条部７と、同凹条部７の一側に連接し、前記温度センサ６の基部を水平方向に挟持する馬蹄状の挟持部８からなるセンサ保持具９を設けてなる構成となっている。
【００１５】
また、前記保持具９の後方近傍に前記リード線６ａを押える凹状のリード押え１０を設けることにより、前記リード線６ａを所定経路に沿って確実に固定するようになっている。
【００１６】
また、前記保持具９および前記リード押え１０を前記電装品箱５に一体成形してなる構成とすることにより、部品点数を削減し、コスト的に有利なセンサ取付装置とすることができる。
【００１７】
以上の構成において、次にその取り付け手順を説明する。
図２（Ｂ）で示すように、前記センサ保持具９の前記凹条部８に、前記温度センサ６を接続した前記リード線６ａを通し、前記温度センサ６の基部を水平方向に前記挟持部８で挟持する。そして、前記リード線６ａを前記リード押え１０に通し、所定経路に沿って確実に固定することにより、温度センサ６の左右方向へのブレ、もしくは上下方向の跳ね上がりを防ぎ、効果的に取り付けられる。
【００１８】
以上に説明したように、前記電装品箱５の前面上部に、前記リード線６ａを水平方向に通し挟持する凹条部７と、同凹条部７の一側に連接し、前記温度センサ６の基部を水平方向に挟持する馬蹄状の挟持部８からなるセンサ保持具９を設け、これらを前記電装品箱５に一体的に形成する構成とすることにより、温度センサ６の左右方向へのブレ、もしくは上下方向の跳ね上がりを防ぎ、外気と一定の空間を保ち、より精度よく室温を検出することができる空気調和機となる。
【００１９】
【発明の効果】
以上説明したように、本発明によれば、電装品箱の前面上部に、リード線を水平方向に通し挟持する凹条部と、同凹条部の一側に連接し、温度センサの基部を水平方向に挟持する挟持部からなるセンサ保持具を設け、これらを電装品箱に一体的に形成することにより、温度センサの左右方向へのブレ、もしくは上下方向の跳ね上がりを防ぎ、外気と一定の空間を保ち、より精度よく室温を検出することができる空気調和機となる。
【図面の簡単な説明】
【図１】本発明による空気調和機の室内機の概略外観図である。
【図２】本発明による、（Ａ）は要部拡大斜視図、（Ｂ）は温度センサの取付けを説明するための（Ａ）のａ部の拡大斜視図である。
【図３】従来例における空気調和機の概略外観図である。
【図４】従来例における要部拡大斜視図である。
【符号の説明】
１  筐体
１ａ  前面開口
２  吸込グリル
２ａ  吸込口
３  吹出口
４  室内熱交換器
５  電装品箱
５ａ  上壁部
５ｂ  開口部
５ｃ  収納部
６  温度センサ
６ａ  リード線
７  凹条部
８  挟持部
９  センサ保持具
１０  リード押え
【図１】
2004293801.tif 000003
【図２】
2004293801.tif 000004
【図３】
2004293801.tif 000005
【図４】
2004293801.tif 000006